(57)【要約】【課題】    効果的な排水構造を施した映像投写テーブルを提供する。【解決手段】  映像を投写するプロジェクタ５０と、プロジェクタ５０を収納する筐体４０と、プロジェクタ５０から投写された映像が投写される天板スクリーン１０と、筐体４０から突出し天板スクリーン１０を支えるフレーム３０とから成り、天板スクリーン１０の外周に設けられた排水を行うための第１排水路１２を備えて構成する。【選択図】      図２
2006058606.tif 000002
【特許請求の範囲】
【請求項１】
映像を投写するプロジェクタと、
前記プロジェクタを収納する筐体と、
前記プロジェクタから投写された映像が投写される天板スクリーンと、
前記筐体および前記天板スクリーンとを支えるフレームと、
前記天板スクリーンの外周に設けられた排水を行うための第１排水路とを備えたことを特徴とする映像投写テーブル。
【請求項２】
請求項１に記載の映像投写テーブルであって、
前記フレームに液体を流通する第２排水路を備え、
前記筐体に液体を流通する第３排水路及び当該第３排水路と連結し前記筐体の外部に排水を流出する排水口を備え、
前記第１排水路は前記第２排水路と連結し、前記第２排水路は前記第３排水路と連結されることを特徴とする映像投写テーブル。
【請求項３】
請求項１に記載の映像投写テーブルであって、
前記フレームに液体を流通する第２排水路を備え、
前記筐体に液体を流通する第３排水路及び当該第３排水路と連結し一時的に液体を貯溜する排水用タンクを備え、
前記第１排水路は前記第２排水路と連結し、前記第２排水路は前記第３排水路と連結されることを特徴とする映像投写テーブル。
【請求項４】
請求項１〜請求項３のいずれか一項に記載の映像投写テーブルであって、
前記第１排水路は前記天板スクリーンの外周に液体を流入する複数の流入口を備えることを特徴とする映像投写テーブル。
【請求項５】
請求項１〜請求項４のいずれか一項に記載の映像投写テーブルであって、
前記第１排水路は、前記天板スクリーンの下面側の防水を行うための排水部材から構成されることを特徴とする映像投写テーブル。
【発明の詳細な説明】
【技術分野】
【０００１】
本発明は、テーブルに映像を投写する映像投写テーブルに関する。
【背景技術】
【０００２】
テーブルに映像を投写する装置として、画像を形成するための光束を投写する複数のプロジェクタと複数の反射ミラーとを用いてスクリーンに画像を投写させるタイプのものがある（特許文献１）。映像を投写するタイプではないが、ディスプレイ装置をテーブルの下方に略垂直に配置し、テーブルの各着席位置からディスプレイを視認できるようにするタイプのものがある（特許文献２）。
【０００３】
上記各装置のテーブル面での防水構造に関して、特許文献１のディスプレイ装置では、スクリーン上面の保護ガラスの外周上面にゴムシートを配設し、押さえ板でゴムシートを押圧することにより保護ガラス上に液体がこぼれた場合に保護ガラス下面に配設される拡散シートに液体が回り込むことを防止している。特許文献２のディスプレイ装置では、テーブルの中央孔部にディスプレイ装置を設置し、中央孔部を含めたテーブルの上面全体にフラット面となる防水性カバーなどを配設して、液体等からディスプレイ装置を保護している。
【０００４】
【特許文献１】特開２００４−１２７１２号公報
【特許文献２】特表２００３−５１５２２５号公報
【発明の開示】
【発明が解決しようとする課題】
【０００５】
しかしながら、特許文献１のディスプレイ装置では、こぼれた液体がスクリーン上面に溜まってしまうため、溜まった液体を拭取らないと映像を視認できないという課題がある。特許文献２のディスプレイ装置では、フラット面にこぼれた液体からディスプレイ装置を保護することはできるが、テーブルサイドで映像を視認するユーザーは、こぼれた液体により濡れてしまうという課題がある。
【０００６】
本発明は、上記課題に鑑みてなされたものであり、効果的な排水構造を施した映像投写テーブルを提供することを目的とする。
【課題を解決するための手段】
【０００７】
上述した目的を達成するために、本発明は、映像投写テーブルであって、映像を投写するプロジェクタと、プロジェクタを収納する筐体と、プロジェクタから投写された映像が投写される天板スクリーンと、筐体および天板スクリーンとを支えるフレームと、天板スクリーンの外周に設けられた排水を行うための第１排水路とを備えたことを特徴とする。
【０００８】
このような映像投写テーブルによれば、プロジェクタと筐体と天板スクリーンとフレームとで構成されて、天板スクリーンの外周に排水路を備えて排水を行う。それにより、天板スクリーン上面にこぼれた液体は、天板スクリーンの外周に備えた排水路により排水されるため、テーブルサイドの映像を視認するユーザーが液体により濡れることがなくなる。また、こぼれた液体は天板スクリーン上面に留まらないため、液体の拭取りが殆ど必要なくなり、ユーザーは映像を視認し続けることができる。
【０００９】
上記映像投写テーブルでは、フレームに液体を流通する第２排水路を備え、筐体に液体を流通する第３排水路及び当該第３排水路と連結し筐体の外部に排水を流出する排水口を備え、第１排水路は第２排水路と連結し、第２排水路は第３排水路と連結されることが好ましい。
【００１０】
このような映像投写テーブルによれば、天板スクリーン上面にこぼれた液体は、第１排水路に流入して、第１排水路に連結する第２排水路を流通し、第２排水路に連結した第３排水路に流入して、第３排水路に連結した排水口から流出する。これにより、天板スクリーン上面にこぼれた液体は、映像投写テーブルに備わる各排水路により処理できるため、映像投写テーブルの利便性が向上する。
【００１１】
上記映像投写テーブルでは、フレームに液体を流通する第２排水路を備え、筐体に液体を流通する第３排水路及び第３排水路と連結し一時的に液体を貯溜する排水用タンクを備え、第１排水路は第２排水路と連結し、第２排水路は第３排水路と連結されることが好ましい。
【００１２】
このような映像投写テーブルによれば、天板スクリーン上面にこぼれた液体は、第１排水路に流入して、第１排水路に連結する第２排水路を流通し、第２排水路に連結した第３排水路に流入して、第３排水路に連結した排水用タンクに流入して一時的に液体を貯溜する。これにより、排水設備が設置されない場所への映像投写テーブルの設置が可能となる。
【００１３】
上記映像投写テーブルでは、第１排水路は天板スクリーンの外周に液体を流入する複数の流入口を備えることが好ましい。
【００１４】
このような映像投写テーブルによれば、複数の流入口を天板スクリーンの外周に備えることで、多くの液体が天板スクリーン上面にこぼれても、複数の流入口により、天板スクリーンから外部へのこぼれを防止でき、ユーザーは濡れることがなくなる。
【００１５】
上記映像投写テーブルでは、第１排水路は、天板スクリーンの下面側の防水を行うための排水部材から構成されることが好ましい。
【００１６】
このような映像投写テーブルによれば、第１排水路は、天板スクリーンの下面側の防水を行うための排水部材から構成されるため、天板スクリーンの下面側となる投写面に漏れた液体が回り込むことを防止できる。同時に、天板スクリーンの下方向に位置するプロジェクタの備える投写レンズに、天板スクリーンの下面側に漏れた液体が垂れることを防止できる。よって、プロジェクタの保護と安定した品質の投写映像を維持できる。
【発明を実施するための最良の形態】
【００１７】
以下、本発明の実施形態を図面に基づいて説明する。
【００１８】
図１は、本発明の実施形態に係る映像投写テーブルの概略の側面図である。図２は、映像投写テーブルの概略の側面断面図である。図１及び図２を用いて映像投写テーブル１００の構成及び動作説明を行う。
【００１９】
図１に示すように、本実施形態の映像投写テーブル１００は、天板スクリーン１０と、フレーム３０と、筐体４０とで構成される。
【００２０】
筐体４０は概略直方体形状を成しており、筐体４０内部の概略中央部分には映像を投写するプロジェクタ５０を備える。筐体４０は、上部にプロジェクタ５０からの投写光を通すための投写孔４１が備えられる。プロジェクタ５０は、プロジェクタ５０に設けた投写レンズ５１により、投写孔４１を通して上方に位置する天板スクリーン１０に映像を投写する。また、図中に示す２点鎖線５２は投写される映像の光束の広がりのイメージを示す。
【００２１】
フレーム３０は、筐体４０の４箇所のコーナー部分から、例えば突出して４本設けられ、それぞれが、天板スクリーン１０の４箇所のコーナー部を支持して、天板スクリーン１０を水平に支える。
天板スクリーン１０は、テーブル面として平面形状が長方形を成す。この形状は、プロジェクタ５０の投写映像のアスペクト比（映像の縦/横の長さの比）に応じた形状と、その他必要な平面とを加えた形状から決められる。
【００２２】
ここで、映像投写テーブル１００における排水路の構成を説明する。
天板スクリーン１０の長方形の４辺の外周部分には、排水路として第１排水路１２が備えられる。第１排水路１２は、天板スクリーン１０上面に対して液体が流れる排水路の面をそれぞれ傾斜するように形成され、また、２方向に流れるように傾斜を形成する。傾斜を持たせて液体が流れるように形成した第１排水路１２は、排水路の面が一番低くなる部分（最下点とする）をフレーム３０と天板スクリーン１０との接続部分の位置となるように形成される。なお、最下点はフレーム３０と天板スクリーン１０との対角上の接続部分の２箇所に形成されている。
【００２３】
上記対角上に位置する２本のフレーム３０の内部には管状のフレキシブルな第２排水路３２がそれぞれ備えられる。２本のフレーム３０と天板スクリーン１０との接続部分には、第１排水路１２と第２排水路３２とを連結する継手（図示省略）が備えられ、第１排水路１２と第２排水路３２とを連結する。また、筐体４０内には、２本の第２排水路３２に対応して２本の管状のフレキシブルな第３排水路４２を備えて、継手により第２排水路３２と第３排水路４２とをそれぞれ連結している。２本の第３排水路４２は、筐体４０の内部に備える排水用タンク６０に連結される。
【００２４】
次に、天板スクリーン１０にこぼれた液体の排水路における流通の仕方を説明する。
ユーザーが持っていた液体（飲料水等）を天板スクリーン１０にこぼした場合、こぼれた液体は、天板スクリーン１０の上面を流れ、第１排水路１２に流入する。第１排水路１２に流入した液体は２方向に別れて傾斜を有する第１排水路１２を流通する。そして、第１排水路１２の傾斜の最下点の位置で連結される第２排水路３２内に流入する。液体は、第２排水路３２の内部を流通し、第２排水路３２と連結される第３排水路４２に流入する。液体は、第３排水路４２の内部を流通し、第３排水路４２と連結する排水用タンク６０に流入して、排水用タンク６０に溜まる。第１排水路１２から２方向に分かれて流通してきた液体は、最後、排水用タンク６０に流入して合流する。液体は、図中に矢印で示す経路で各排水路を流通する。
【００２５】
図３は、天板スクリーンの外周端部の概略部分断面図である。そして、天板スクリーンに備わる排水路としての第１排水路の概略断面図を示す。図３を用いて、天板スクリーン１０と第１排水路１２の構成及び動作説明を行なう。
【００２６】
図３に示すように、天板スクリーン１０は、テーブル面を構成すると供にプロジェクタ５０から投写される映像を表示する透過型スクリーンユニット１４と、透過型スクリーンユニット１４の外周に備わる第１排水路１２を構成する天板支え１１と、天板スクリーン１０の外周を形成する縁部材２０とから構成される。
【００２７】
透過型スクリーンユニット１４は、プロジェクタ５０から投写された映像を表示する透過型スクリーン１６と、その表面には、透明で、外光や周囲光等の反射防止のための反射防止コート等を施した、強化ガラス１５とを備える。強化ガラス１５は、テーブル面と同様の効果と、透過型スクリーン１６の保護とを兼ねている。また、透過型スクリーンユニット１４の外周端面１９は、防水用コートなどの処理を施し、防水性を保持させている。強化ガラス１５に変えて、合わせガラスや強化樹脂を使用することでも良い。テーブル面として、ユーザーの押圧などにより、撓まない剛性と、映像が視認可能な透明性を備えた部材であることが望ましい。
【００２８】
透過型スクリーン１６は、下面側に光学シートとしてフレネルレンズ１８と、上面側に拡散板１７とを備えて構成される。フレネルレンズ１８は、プロジェクタ５０から投写され拡散した光束を略平行光に均一化する。拡散板１７は、その均一にした光速を結像する働きを行うことにより、投写された映像を表示する。ユーザーは、透過型スクリーン１６に結像された映像を投写光の入射方向とは反対方向から視認することができる。
【００２９】
天板支え１１は、断面形状が略Ｕ字状をした、第１排水路１２を備えた弾性部材から構成される。天板支え１１は、その外周を覆うように取付ける縁部材２０に固着される。天板支え１１は、縁部材２０と一体成形することでも良い。天板支え１１は、透過型スクリーンユニット１４の外周端から若干内側に入った下面箇所で、天板支え１１に備わる楔状断面部１１Ａと透過型スクリーンユニット１４のフレネルレンズ１８部分とが相互に押圧する。それにより、天板支え１１の楔状断面部１１Ａの先端領域１１１が相互の押圧によりつぶれることにより、透過型スクリーンユニット１４の下面中心側への液体による漏れを防止する。
【００３０】
縁部材２０は、透過型スクリーンユニット１４を保持固定すると同時にフレーム３０を保持固定する。また、縁部材２０は、上述した天板支え１１を固着して天板支え１１を保持する。そして、縁部材２０は、天板支え１１が構成する第１排水路１２に流れ込む液体の流入口を形成する。具体的には、縁部材２０は、固定する透過型スクリーンユニット１４の外周端面１９と所定の距離χを保持して壁２５を形成することで、第１流入口２１を形成する。ここで、距離χは、第１流入口２１の幅となる。そして、第１流入口２１の外周延長方向に第１流入口２１での幅χよりも短い所定の幅を持つ第２流入口２２を形成する。第２流入口２２と同様の幅の流入口を更に外周延長方向に等間隔に設けて、第３流入口２３、第４流入口２４として形成している。
【００３１】
縁部材２０に構成した各流入口での液体の流れ方について説明する。
ユーザーが持っていた液体（飲料水等）を天板スクリーン１０にこぼした場合、こぼれた液体は、天板スクリーン１０の上面（強化ガラス１５の上面）を流れ、第１流入口２１に流入する。第１流入口２１に流入した液体は、天板支え１１に形成した第１排水路１２に流入する。ここで、こぼした液体の量が多い場合、第１流入口２１で処理できない液体は隣に備える第２流入口２２に流入する。第２流入口２２でも処理できない液体は隣に備える第３流入口２３に流入する。以下同様に第４流入口２４へと、順次備える流入口に流入することにより、こぼれた液体を処理する。それぞれの流入口に流入した液体は第１排水路１２に流入する。液体は、図中に矢印で示す経路で各流入口に流入する。
【００３２】
上述した、実施形態によれば以下の効果が得られる。
（１）本実施形によれば、第１排水路１２、第２排水路３２、第３排水路４２及び排水用タンク６０を備えたことにより、天板スクリーン１０にこぼれた液体を、各排水路を流通させて排水用タンク６０に溜めることができる。これにより、排水用タンク６０に溜まった液体は、適宜、筐体４０の備わるタンク取出しカバー（図示省略）を開け排水用タンク６０を取出して処理することができる。また、排水用タンク６０を備えたことで、排水設備が設置されない場所への映像投写テーブル１００の設置が可能となる。
【００３３】
（２）本実施形によれば、天板支え１１に楔状断面部１１Ａを備えて、楔状断面部１１Ａの先端領域１１１が透過型スクリーンユニット１４と縁部材２０との相互の押圧によりつぶれることにより、透過型スクリーンユニット１４の下面中心側への液体による漏れを防止できる。同時に、天板スクリーンの下方向に位置するプロジェクタ５０の備える投写レンズ５１に、透過型スクリーンユニット１４の下面側に漏れた液体が垂れることを防止できる。よって、映像投写装置の保護と安定した品質の投写映像を維持できる。
【００３４】
（３）本実施形によれば、縁部材２０が、第１流入口２１〜第４流入口２４まで複数の流入口を備えたことにより、多くの液体が天板スクリーン１０上面にこぼれても、複数の流入口により、天板スクリーン１０から外部へのこぼれを防止でき、ユーザーは濡れることがなくなる。
【００３５】
なお、本発明は、上述した実施形態に限定されず、上述した実施形態に種々の変更や改良など加えることが可能である。変形例を以下に述べる。
【００３６】
（変形例１）前記実施形態において、第３排水路４２は筐体４０内部に備える排水用タンク６０に連結されているが、これに限らず、筐体４０内部に排水口（図示省略）を備えて、第３排水路４２は排水口に接続することでも良い。こうすることで、排水口を映像投写テーブル１００の設置される床に設ける排水設備に別に設ける排水路を介して誘導することで、天板スクリーン１０にこぼれた液体を直接に排水設備に排水することができる。
【００３７】
（変形例２）前記実施形態において、フレーム３０に備わる第２排水路３２と筐体４０に備わる第３排水路４２は、別々に備わったもので、それぞれ継手により接続されていたが、これに限らず、第２排水路３２と第３排水路４２は、同一部材による１本の排水路として構成されることでも良い。これにより、第２排水路３２と第３排水路４２を継手により接続する必要がなくなるため、排水路の組立て効率を向上できる。
【００３８】
（変形例３）前記実施形態において、第２排水路３２と第３排水路４２は、フレーム３０および筐体４０の内部に備えられているが、外部に別部材で構成されてもよい。これにより、筐体４０およびフレーム３０を加工する必要がなく、第２排水路３２と第３排水路４２を後付けにすることもできる。
【００３９】
（変形例４）前記実施形態において、天板支え１１に備わる楔状断面部１１Ａを用いて透過型スクリーンユニット１４の下面中心側への液体による漏れを防止してる。しかし、これに限らず、かまぼこ状断面部を形成して防水を行っても良い。いづれにしても、透過型スクリーンユニット１４と縁部材２０により、天板支え１１に形成した楔状断面部１１Ａのような突起状部を押圧することにより、突起状先端部がつぶれて防水を行う構造ならば良い。これにより、突起上部の設計の自由度が広がる。
【００４０】
（変形例５）前記実施形態において、天板スクリーン１０にこぼれた液体を、第１排水路１２により２方向に流れ、第２排水路３２及び第３排水路４２においては２系統の排水路で流通させているが、流れる方向及び排水路の系統数は、これに限られず、こぼされる液体の種類や量などにより、流す方向及び排水路の系統数を決めることで良い。これにより、映像投写テーブル１００が設置され使用される環境に対応した排水路を構成することができる。
【００４１】
（変形例６）前記実施形態において、筐体４０内部に備えた排水用タンク６０の材質はプラスチック材料を主として構成しているが、これに限らず、金属材料で構成しても良い。特に、熱伝導性の高い銅やアルミニウムを主成分とする金属材料で構成することにより、プロジェクタ５０で発生する熱を熱伝導性部材（図示省略）などを介して排水用タンク６０に伝熱させることにより、プロジェクタ５０で発生する熱を低減する効果がある。特に、プロジェクタ５０の光源部（図示省略）で発生する熱に対して有効である。
【図面の簡単な説明】
【００４２】
【図１】本発明の実施形態に係る映像投写テーブルの概略の側面図。
【図２】映像投写テーブルの概略の側面断面図。
【図３】天板スクリーンの外周端部の概略部分断面図。
【符号の説明】
【００４３】
１０…天板スクリーン、１１…天板支え、１１Ａ…楔状断面部、１２…第１排水路、１４…透過型スクリーンユニット、１５…強化ガラス、１６…透過型スクリーン、１７…拡散板、１８…フレネルレンズ、１９…外周端面、２０…縁部材、２１…第１流入口、２２…第２流入口、２３…第３流入口、２４…第４流入口、２５…壁、３０…フレーム、３２…第２排水路、４０…筐体、４１…投写孔、４２…第３排水路、５０…プロジェクタ、５１…投写レンズ、６０…排水用タンク、１００…映像投写テーブル、１１１…先端領域。
【図１】
2006058606.tif 000003
【図２】
2006058606.tif 000004
【図３】
2006058606.tif 000005